(57)【要約】【課題】  転倒時の頭部損傷を防止、軽減する、使用者が帽子に違和感無く装着して使用することが可能な頭部プロテクタを提供する。【解決手段】  頭部プロテクタ１０は、帽子に装着して用いられ、転倒による受傷から着用者の頭部を保護する為のものであり、帽子に装着された状態において、着用者の前頭部および側頭部を保護する。前頭部および側頭部を保護することで、使用者が普段使用する帽子に違和感なく装着可能であり、かつ、転倒した際の安全を確保するために好適なものとなる。【選択図】  図１
2013241687.tif 000002
【特許請求の範囲】
【請求項１】
帽子に装着し、転倒による受傷から頭部を保護する為の頭部プロテクタであって、
帽子に装着された状態において、着用者の前頭部および側頭部を保護することを特徴とする頭部プロテクタ。
【請求項２】
合成樹脂製シェル、衝撃吸収体および頭部側生地を備えた３層構造であることを特徴とする請求項１に記載の頭部プロテクタ。
【請求項３】
前記衝撃吸収体と前記頭部側生地とが一体に形成されており、
前記衝撃吸収体の前記頭部側生地とは反対側に前記合成樹脂製シェルの端部を各挿入して固定する一対の挿入部を備えていることを特徴とする請求項２に記載の頭部プロテクタ。
【請求項４】
前記合成樹脂製シェルが固定された状態において、前記合成樹脂製シェルが前記衝撃吸収体の外郭よりも内側に位置することを特徴とする請求項３に記載の頭部プロテクタ。
【請求項５】
前記衝撃吸収体の外郭がパイピング処理されていることを特徴とする請求項４に記載の頭部プロテクタ。
【請求項６】
水平面に載置された状態において、
その上方側外郭が、
正面から見たとき、その正面中心線付近に上方側外郭の最高点が位置し、
側面から見たとき、その側面中心線との交点である側面中点と前記最高点とを結んだ直線よりも下方に上方側外郭が位置する曲線形状であることを特徴とする請求項５に記載の頭部プロテクタ。
【請求項７】
前頭部側から側頭部側に向かって連続的に幅が狭くなる形状であることを特徴とする請求項６に記載の頭部プロテクタ。
【請求項８】
側面から見たとき、前記最高点と前記側面中点とを結んだ直線と、水平線Ｌとがなす傾斜角度が１５度以上３５度以下の範囲内であることを特徴とする請求項７に記載の頭部プロテクタ。
【請求項９】
頭部プロテクタの両端の長さが、２５ｃｍ以上４０ｃｍ以下の範囲内であることを特徴とする請求項８に記載の頭部プロテクタ。
【請求項１０】
前記挿入部の外側面に面ファスナを備えていることを特徴とする請求項９に記載の頭部プロテクタ。
【請求項１１】
前記衝撃吸収体および頭部側生地が、水洗い可能なものであることを特徴とする請求項１０に記載の頭部プロテクタ。
【請求項１２】
請求項１から請求項１１のうちいずれか１項に記載の頭部プロテクタを備えていることを特徴とする保護帽。
【発明の詳細な説明】
【技術分野】
【０００１】
本発明は、転倒時において頭部に受ける損傷を防止、軽減することができ、かつ使用者が普段使用する帽子に違和感なく装着して使用可能な、特に高齢者が転倒した際の安全を確保するために有用な頭部プロテクタおよび保護帽に関する。
【背景技術】
【０００２】
従来、歩行中におきる不意の転倒時に、後頭部や側頭部を強打して頭蓋骨損傷や脳挫傷を受けることを防止するための、日常生活において着用する保護帽の構造が提案されている（例えば、特許文献１）。
特許文献１には、転倒時に頭を保護するファッション性にも優れたものとすることを目的として、布製の帽体に保護材を装着して構成された保護帽子が記載されている。同文献に記載の保護帽子は、頭部全体を覆うように形成され、保護材は帽体内にあって、少なくとも後頭部、頂部、側頭部を覆うように構成された硬質樹脂製のシェルと、その内側に貼り付けられた、所要厚さのスポンジ状緩衝材とから構成されている。
【先行技術文献】
【特許文献】
【０００３】
【特許文献１】特開２００３−１２９３２４号公報
【発明の概要】
【発明が解決しようとする課題】
【０００４】
しかしながら、特許文献１に記載の保護帽子の構造は、寒冷地などで多い雪、氷上での後ろ転倒を前提に後頭部および側頭部への保護を重点としたものである。このように、日常生活において着用するための保護帽は、従来、後頭部および側頭部の損傷の防止、軽減を目的としたものである。
【０００５】
出願人が独自に行った５０才〜８０才代の２３８名を対象としたアンケートにより、高齢者の日常生活で生じる転倒は、氷上における転倒とは異なり、前方向への転倒が多いことが明らかになった。具体的には、転倒により頭部に損傷を受けた経験がある者のうち、６０％が鼻、２０％が前頭部、２０％が側頭部を損傷したというものであった。これら損傷箇所のうち、前頭部および側頭部は、後頭部同様、脳挫傷を誘発しやすい部位である。したがって、高齢者の日常生活において生じる転倒により頭部に受ける損傷を防止するには、前頭部および側頭部を保護することが有効である。
しかし、頭部を守ることに特化した構造をとると専用のヘルメット状のものとなりデザイン的にも日常使用においても気軽に使用するには問題が多い。
【０００６】
そこで、本発明は、転倒において頭部損傷を防止、軽減することができ、かつ使用者が帽子に違和感無く装着して使用可能な頭部プロテクタおよび保護帽の提供を目的としている。
【課題を解決するための手段】
【０００７】
本発明の頭部プロテクタは、帽子に装着し、転倒による受傷から頭部を保護する為の頭部プロテクタであって、帽子に装着された状態において、着用者の前頭部および側頭部を保護する。この構成により、高齢者の日常生活における転倒により損傷を受けやすい前頭部および側頭部を保護することができる。
【０００８】
本発明の頭部プロテクタは、合成樹脂製シェル、衝撃吸収体および頭部側生地を備えた３層構造としてもよい。この構成により、合成樹脂製シェルにより衝撃を面に分散して緩衝することができる。また、頭部側生地に通気性、抗菌性、消臭機能といった各種機能を付与し、装着感を向上させることができる。
【０００９】
本発明の頭部プロテクタは、前記衝撃吸収体と前記頭部側生地とが一体に形成されており、前記衝撃吸収体の前記頭部側生地とは反対側に前記合成樹脂製シェルの端部を各挿入して固定する一対の挿入部を備えていてもよい。この構成により、合成樹脂製シェルの衝撃吸収体への取り付け、取り外しが容易になる。
【００１０】
本発明の頭部プロテクタは、前記合成樹脂製シェルが固定された状態において、前記合成樹脂製シェルが前記衝撃吸収体の外郭よりも内側に位置する構成としてもよい。また、前記衝撃吸収体の外郭がパイピング処理されている構成としてもよい。合成樹脂製シェルの周りを衝撃吸収体が囲むことにより、合成樹脂製シェルが装着者の頭部に直接触れることを防止できる。
【００１１】
本発明の頭部プロテクタは、水平面に載置された状態において、正面から見たとき、その正面中心線付近に上方側外郭の最高点が位置し、側面から見たとき、その側面中心線との交点である側面中点と前記最高点とを結んだ直線よりも下方に上方側外郭が位置する曲線形状としてもよい。また、前頭部側から側頭部側に向かって連続的に幅が狭くなる形状としてもよい。また、側面から見たとき、前記最高点と前記側面中点とを結んだ直線と、水平線Ｌとがなす傾斜角度が１５度以上３５度以下の範囲内であることが好ましい。また、頭部プロテクタの両端間の長さが、２５ｃｍ以上４０ｃｍ以下の範囲内であることが好ましい。この構成により、既製（手持ち）の帽子に装着した際、頭部プロテクタによる影響が小さくなるから、帽子のシルエットを崩さない形状とすることができる。
【００１２】
本発明の頭部プロテクタは、前記挿入部の外側面に面ファスナを備えていることとしてもよい。この構成により、既製の帽子に対応する面ファスナを固定すれば、挿入部の外側面の面ファスナとの接合により、適切な位置に頭部プロテクタを装着することができる。
【００１３】
本発明は、前記衝撃吸収体および頭部側生地が、水洗い可能なものであることが好ましい。この構成により、洗濯して頭部プロテクタを清浄に保つことができる。
【発明の効果】
【００１４】
本発明の頭部プロテクタは、前頭部および側頭部を保護することにより、日常生活において生じる転倒により損傷を受けやすい部位を保護し、損傷を防止、軽減することが可能である。また、装着感も良好であり、違和感無く帽子に装着して使用することが可能である。
【図面の簡単な説明】
【００１５】
【図１】（ａ）本発明の実施形態である頭部プロテクタの斜視図、（ｂ）（ａ）のＡ−Ａ矢視断面図、（ｃ）（ａ）のＢ−Ｂ矢視断面図
【図２】図１の頭部プロテクタの分解状態を示す斜視図
【図３】本発明の実施形態である頭部プロテクタの（ａ）正面図、（ｂ）側面図
【図４】頭部プロテクタを帽子に取り付けた状態の一例を示す模式図
【図５】頭部プロテクタを帽子に取り付けた状態の他の一例を示す模式図
【図６】頭部プロテクタを帽子に取り付ける方法を説明する斜視図
【発明を実施するための形態】
【００１６】
本発明の発明者は、特に高齢者に的を絞り、独自アンケートを実施し転倒時の受傷部位を特定した。その高齢者のアンケート結果から、歩行時つま先を引っかけるなどが原因で前に倒れることが多いことが判明した。そして、その転倒の際には、顔面、前頭部、側頭部を打撃することが多く、頭頂部を打撃することはほとんどないという新たな知見を得た。そこで、本発明の頭部プロテクタは、前頭部および側頭部のみをカバーする構成とした、これにより、特に高齢者の転倒による受傷から頭部を保護するために有効であると共に、装着感を従来よりも向上させることができる。
【００１７】
本発明の頭部プロテクタの実施形態について、図面を参照しつつ、以下に説明する。
図１（ａ）は本発明の実施形態である頭部プロテクタの斜視図である。図１（ｂ）は（ａ）のＡ−Ａ矢視断面図である。図１（ｃ）は（ａ）のＢ−Ｂ矢視断面図である。図１（ａ）〜（ｃ）に示すとおり、本発明の頭部プロテクタ１０は、合成樹脂製シェル１、衝撃吸収体２および頭部側生地３を備えた３層構造のものである。
【００１８】
合成樹脂製シェル１は、転倒時における打撃を受けて分散させるためのものであり、耐衝撃性に優れた素材が用いられる。耐衝撃性に優れた素材としては、高強度ポリカーボネート、高強度ナイロン、ＦＲＰ（Fiber Reinforced Plastics、繊維強化プラスチック）等を用いることができる。
【００１９】
合成樹脂製シェル１は、転倒時の衝撃を点としてではなく面分散した後に衝撃吸収体２に伝えるものである。対して、従来の頭部保護プロテクタは、合成樹脂製シェル１に相当する構成を有していないから、転倒時の点衝撃がそのまま点として頭部に伝わる。そこで、衝撃吸収用の軟質の発泡体層の厚みを厚くすることで衝撃を吸収していた。
【００２０】
このように、従来の頭部保護プロテクタは、そのほとんどが軟質の厚手発泡体を外皮でカバーした構造である。これに対して、頭部プロテクタ１０は、従来の厚手発泡体および外皮の代わりに合成樹脂製シェル１を用いている。したがって、衝撃吸収体２を従来の構造よりも薄くすることができる。この結果として、頭部プロテクタ１０自体も薄くできるから、装着感が良好なものとなる。
【００２１】
衝撃吸収体２は、転倒時において合成樹脂製シェル１が受けた衝撃を吸収し、着用者の頭部への影響を緩和するためのものであり、衝撃吸収性に優れた素材が用いられる。衝撃吸収性に優れた素材としては、衝撃吸収性アクリルフォーム、衝撃吸収性ウレタンフォーム、発泡ポリエチレン等を用いることができる。
【００２２】
図１（ｂ）に示すように、本実施形態の頭部プロテクタ１０は、合成樹脂製シェル１が固定された状態において、合成樹脂製シェル１が衝撃吸収体２の外郭よりも内側に位置している。すなわち、合成樹脂製シェル１の外郭の外側を衝撃吸収体２が取り囲むように構成されている。これにより、合成樹脂製シェル１が装着者の頭部に直接触れることに起因する違和感により装着感が低下することを防止できる。なお、本実施形態では、衝撃吸収体２の外郭がバイアステープで包んで縫われたいわゆるパイピング処理が施されている。これにより、衝撃吸収体２外郭のパイピングにより、合成樹脂製シェル１を確実に取り囲むことができる。
【００２３】
頭部側生地３は、装着の際、装着者の頭部に触れる面に設けられている。このため、装着感向上に寄与する機能を備えた機能性生地が用いられる。この機能としては、例えば、吸汗性、通気性、洗濯適合性などが挙げられる。機能性生地としては、ダブルラッセル織りポリエステルや、特殊織り綿等を用いることができる。
【００２４】
頭部側生地３は、衝撃吸収体２の頭部プロテクタ１０が装着されたとき、装着者の頭部と接する側の面に設けられている。上述したように、衝撃吸収体２には衝撃吸収性に優れた素材が用いられるが、加えて頭部側生地３を設けることにより、頭部プロテクタ１０の装着感を向上させることができる。
【００２５】
本実施形態の頭部プロテクタ１０では、衝撃吸収体２と頭部側生地３とが縫合され、一体として構成されているが、両者が取り外し可能に構成されていてもよい。額に接触する面の頭部側生地３を交換可能な構成とすれば、着用者の指向や季節に応じて、冷感、吸汗などの性能を付加することができる。
【００２６】
図２は図１の頭部プロテクタの分解状態を示す斜視図である。同図に示すように、頭部プロテクタ１０の合成樹脂製シェル１と衝撃吸収体２（頭部側生地３）とは、付け外し可能に構成されている。具体的には、衝撃吸収体２が頭部側生地３とは反対側に、合成樹脂製シェル１の両端１１、１１を挿入して固定する挿入部４を備えている。
【００２７】
図２に示すように、合成樹脂製シェル１は、その両端１１、１１を挿入部４に挿入することにより、衝撃吸収体２（頭部側生地３）に取り付けられる。そして、この状態では、図１（ａ）および（ｃ）に示すように、衝撃吸収体２と挿入部４との間に合成樹脂製シェル１が位置しており、衝撃吸収体２の合成樹脂製シェル１とは反対側の面に頭部側生地３が設けられている。また、挿入部４の外側面の略全体が面ファスナ５により覆われている。このため、帽子の内側に面ファスナを固定すれば、当該面ファスナと面ファスナ５との接合により、頭部プロテクタ１０を帽子に取り付けることができる。このため、頭部プロテクタ１０の付け外しおよび位置調整の作業性を良好にすることができる。
【００２８】
上記のように合成樹脂製シェル１と衝撃吸収体２とを分離する構造とした為、所望の機能を備えた素材を組み合わせることにより、頭部プロテクタ１０を容易に製作することが可能となる。
【００２９】
頭部プロテクタ１０は、合成樹脂製シェル１の衝撃吸収体２への取り付け取り外しを容易に行うことができる。このため、衝撃吸収体２および頭部側生地３を水洗い可能な素材で構成すれば、合成樹脂製シェル１を取り外して、衝撃吸収体２、頭部側生地３を洗濯することができるから、頭部プロテクタ１０の清浄さを保つことが容易になる。
【００３０】
図３は、本発明の実施形態である頭部プロテクタの（ａ）正面図であり、（ｂ）側面図である。図３（ａ）に示すように、頭部プロテクタ１０は、水平面に載置された状態において、その上方側外郭２Ｈ（衝撃吸収体２の上方側の外郭）の最高点Ｐ１が、正面から見たとき、頭部プロテクタ１０の幅ＤＦの中心にある正面中心線ＣＦ付近にある。本実施形態の頭部プロテクタ１０の上方側外郭２Ｈは、その中心線ＣＦにおいて上方側外郭２Ｈが最も高い位置に位置する曲線形状に形成されている。
【００３１】
ただし、頭部プロテクタ１０は、その中心と帽子の中心とが完全に一致するように装着されるとは限らない。また、多少のずれであれば帽子のシルエットへの影響は小さい。このため、上方側外郭２Ｈの最高点Ｐ１は、必ずしも正面中心線ＣＦ上に位置する必要は無く、正面中心線ＣＦ付近に位置すればよい。ここで、最高点Ｐ１が「正面中心線ＣＦ付近に位置する」とは、最高点Ｐ１と正面中心線ＣＦとの距離Ｄが頭部プロテクタ１０の長さＷの１／１０以下、すなわち、Ｄ≦Ｗ／１０であることをいう。
【００３２】
そして、図３（ｂ）に示すように、頭部プロテクタ１０の上方側外郭２Ｈ（衝撃吸収体２の上方側の外郭）は、水平面に載置された状態において、側面から見たときの前後の長さ幅ＤＳの中心にある側面中心線ＣＳと上方側外郭２Ｈとの交点である側面中点Ｐ２と、最高点Ｐ１とを結んだ直線よりも下方に位置する曲線形状である。そして、頭部プロテクタ１０は、前頭部側から側頭部側に向かって連続的に幅が狭くなる形状に構成されている。上記の構成により、既製（手持ち）の帽子に装着した際、帽子のシルエットを崩さず、かつ装着感も良好になる。
【００３３】
また、水平面に載置された状態において頭部プロテクタ１０を側面から見たときに、最高点Ｐ１と側面中点Ｐ２とを結んだ直線と水平線Ｌとがなす傾斜角度Ｒを、１５度以上３５度以下の範囲内、好ましくは、２０度以上３０度以下の範囲内とする。この形状とすることにより、帽子のシルエットを崩すことなく、また装着感も良好になる。
また、頭部プロテクタ１０の長さ（端部１０Ｌから端部１０Ｒまでの距離、図１（ａ）参照）は、２５ｃｍ以上４０ｃｍ以下の範囲内、より好ましくは、３０ｃｍ以上３５ｃｍ以下の範囲内とする。上記の長さとすれば、頭部プロテクタ１０は、前頭部および側頭部を覆い、後頭部を覆わないこととなる。したがって、日常生活における転倒による頭部損傷の防止に有効な前頭部および側頭部を保護しつつ、あまり有効ではない後頭部を保護しないことで、使用感が良好なものとなる。
また、合成樹脂製シェル１は、日本人の頭蓋骨の平均的な曲面形状に沿った形状になる曲率に形成されている。
【００３４】
本実施形態の頭部プロテクタ１０は、帽子の内側に取り付けて使用するものである。図４は頭部プロテクタを帽子に取り付けた状態の一例を示す模式図である。同図には、前面だけにつばがあるいわゆるキャップ型の帽子２０の内面に頭部プロテクタ１０を取り付けた状態を示している。
同図に示すように、頭部プロテクタ１０は、帽子２０の装着者の前頭部および側頭部を保護する位置に取り付けて用いられるものである。例えば、衝撃吸収体２の内周面に沿って設けられている折り返しと、帽子２０との間に頭部プロテクタ１０を挟み込むことにより取り付けることができる。
【００３５】
図５は、頭部プロテクタを帽子に取り付けた状態の他の一例を示す模式図である。同図には、帽子の周囲全体につばがあるいわゆるハット型の帽子３０に頭部プロテクタ１０を取り付けた状態を示している。
【００３６】
帽子３０に頭部プロテクタ１０を別付けする構造としたことにより、プロテクタ１０の付け外しが自在となるから、頭部プロテクタ１０を複数の帽子２０、帽子３０に共通に用いること、つまり使い回すことができる。このため、別に頭部保護用の保護帽を用意する必要がなく、手持ちの帽子を有効に活用し、日常生活において生じうる転倒から頭部を保護することができる。
【００３７】
図６は、頭部プロテクタを帽子に取り付ける方法を説明する斜視図であり、（ａ）が帽子の内面に面ファスナを取り付ける段階、（ｂ）が帽子の内面に面ファスナを取り付けた段階、（ｃ）が頭部プロテクタを帽子に取り付ける段階をそれぞれ示している。なお、図６では、面ファスナを帽子のフランジに取付ける場合を示しているが、面ファスナの取付け位置はこれに限られるものではない。例えば、フランジの中や帽子内面の他の部分に面ファスナを取り付けることとしてもよい。
【００３８】
まず、図６（ａ）に示すように、帽子３０の内側折り返し部３１に面ファスナ３２を取り付ける。内側折り返し部３１に面ファスナ３２を取り付ける方法としては、例えば、面ファスナ３２を内側折り返し部３１に熱圧着する方法があげられる。この方法によれば、面ファスナ３２を内側折り返し部３１に簡単かつ確実に取り付けることができる。
【００３９】
面ファスナ３２は、頭部プロテクタ１０の挿入部４表面に設けられた一対の面ファスナ５に対応する位置に設ければ良いが、例えば、図６（ｂ）に示すように、２つの面ファスナ３２の距離Ｗを１４ｃｍ程度とすることが好ましい。
【００４０】
そして、図６（ｃ）に示すように、頭部プロテクタ１０の面ファスナ５と、帽子３０の面ファスナ３２とを接合することにより、頭部プロテクタ１０を帽子３０の内面に取り付けることができる。
【００４１】
図１に示したように、頭部プロテクタ１０の面ファスナ５は挿入部４表面の非常に広い範囲に設けられている。このため、帽子３０の面ファスナ３２を面ファスナ５のどの部分に接合させるかにより、頭部プロテクタ１０を取り付ける位置を容易に調整することができる。したがって、装着者は、使用感が良好であり、かつ帽子３０のシルエットを崩さない位置に、頭部プロテクタ１０を容易に取り付けることができる。
【００４２】
上述した実施形態では、本発明を帽子とは別体のものとして、取り外し可能な頭部プロテクタ１０として実施する場合について説明した。しかし、本発明は、帽子と一体のものとして、頭部プロテクタ１０を備えた保護帽として実施することもできる。この場合、頭部プロテクタ１０を備えた帽子２０、帽子３０（図４、図５参照）が保護帽となる。
【実施例】
【００４３】
図１に示した頭部プロテクタ１０について、モニター１５名に使用してもらい、その結果を質問紙（アンケート）に回答してもらった。モニター１５名のうち１４名から回答が得られた。
上記モニターによるアンケート調査により、頭部プロテクタ１０の使用に関し、「装着が簡単に感じた」かという問いに「はい」と答えた者が９３％、「装着時に違和感がなかった」かという問いに「はい」と答えた者が６４％、通気性に問題を感じなかった」かという問いに「はい」と答えた者が１００％であった。
この調査結果から、本発明の頭部プロテクタは、装着感が良好であり、装着した帽子の外観にも影響を与えにくく、使用者が帽子に違和感無く装着して使用できるものであることが分かった。
【産業上の利用可能性】
【００４４】
本発明は、特に高齢者の転倒による受傷から頭部を保護するために有効な頭部プロテクタとして用いることができる。
【符号の説明】
【００４５】
１  合成樹脂製シェル
２  衝撃吸収体
２Ｈ  上方側外郭
３  頭部側生地
４  挿入部
５  面ファスナ
１０  頭部プロテクタ
２０、３０  帽子（保護帽）
Ｐ１  最高点
Ｐ２  側面中点
ＣＦ  正面中心線
ＣＳ  側面中心線
【図１】
2013241687.tif 000003
【図２】
2013241687.tif 000004
【図３】
2013241687.tif 000005
【図４】
2013241687.tif 000006
【図５】
2013241687.tif 000007
【図６】
2013241687.tif 000008